(57)【要約】【課題】竿体の周面に配置する釣竿部材の竿体に対する固定強度，耐腐食性等に優れる釣竿を提供する。【解決手段】この釣竿では、元竿１等の竿体の周面に釣糸ガイド１０が軸方向に間隔を隔てて配置されている。この釣糸ガイド１０は、竿体と共にチタン線材２５を巻回し、その周面にエポキシ樹脂等をコーティングすることで、所定の竿体の周面に固定されている。【選択図】　　　図３
2004016032.tif 000002
【特許請求の範囲】
【請求項１】
魚釣りに用いる釣竿であって、
竿体と、
前記竿体の周面に配置される釣竿部材と、
前記竿体と前記釣竿部材とを共に巻回して前記釣竿部材を前記竿体の周面に固定するチタン線材と、
前記巻回されたチタン線材の周面を覆うコーティング層と
を備える釣竿。
【請求項２】
前記釣竿部材は、釣糸導入ガイド，釣糸ガイド，リールシートからなる群より選択される、請求項１に記載の釣竿。
【請求項３】
前記チタン線材はφ０．１〜０．２ｍｍであり、前記コーティング層は０．３〜０．５ｍｍの層厚である、請求項１又は２に記載の釣竿。
【発明の詳細な説明】
【０００１】
【発明の属する技術分野】
本発明は、魚釣りに用いる釣竿、特に、竿体の周面に釣糸を案内する釣糸ガイド等の釣竿部材を装着した釣竿に関する。
【０００２】
【従来の技術】
従来の釣竿の中で、いわゆる外通し竿と呼ばれるタイプの釣竿は、一般に、複数の先細り筒状の竿体からなり、最も竿元側に位置しリールを竿体周面に装着可能なリールシートを有する元竿と、順次元竿の穂先側に振出形式などで連結される元上竿，中竿，穂先竿等から構成される。
【０００３】
各竿体の周面には、長手方向に一定の間隔を隔てて複数の釣糸ガイドが固定される。この釣糸ガイドは、竿体周面に固定される部分である固定部分と、固定部分に連続してなり竿体周面に対して起立しているフレーム部分と、フレーム部分の先端に取り付けられるセラミックス等の硬質部材からなるガイドリングとを有する。そして、この固定部は竿体周面に於いて竿体と共に綿糸の撚糸等からなる巻糸で巻回され、この巻糸に合成樹脂をコーティングして固定されている。そして、リールシートに取り付けたリールから引き出された釣糸は、順次釣糸ガイドのガイドリングを挿通して案内されるのである。
【０００４】
【発明の解決する課題】
上述の釣糸ガイドのように竿体の周面に別途取り付けられる釣竿部材は、竿体に対する十分な固定強度が要求される。上述のような従来の綿糸の撚糸等の巻糸による固定は一定の強度を担保できるもの必ずしも十分満足し得るものではない。強度を向上させるために巻糸の巻回数を増やせば、巻回部分が不当に太くなり竿体の円滑な軸方向への撓りを阻害する恐れがあり、外観にも劣り、釣竿の重量化にもつながる。
【０００５】
また、釣糸ガイドは上述のようにリールからの釣糸を案内する部材であり、釣糸の振動等を竿体に伝達する部材でもある。よって、釣糸ガイドを竿体に固定する巻回部分においてもなるべくその振動の伝達を阻害しないように配慮する必要がある。
本発明の課題は、竿体の周面に配置する釣竿部材の竿体に対する固定強度等に優れる釣竿を提供することにある。
【０００６】
【課題を解決するための手段】
発明１の釣竿は、魚釣りに用いる釣竿であって、竿体と、竿体の周面に配置される釣竿部材と、竿体と釣竿部材とを共に巻回して釣竿部材を竿体の周面に固定するチタン線材と、巻回されたチタン線材の周面を覆うコーティング層とを備えている。
【０００７】
この釣竿ではチタン線材により釣竿部材が竿体に固定されており、軽量化及び固定強度に優れる。特に、カーボン繊維を強化繊維として配向したプリプレグから竿体を構成する場合には、竿体周面に金属線材を用いると金属線材に腐食が生じる恐れがあるが、チタンを用いることで腐食も起こりにくい。また、チタン線材を竿体周面に巻回することで質感も向上する。
【０００８】
発明２の釣竿は、発明１の釣竿であって、釣竿部材は、釣糸導入ガイド，釣糸ガイド，リールシートからなる群より選択される。
例えば、釣糸導入ガイドや釣糸ガイドをチタン線材で竿体周面に固定する場合、釣糸の振動の竿体への伝達性が向上し、釣糸の先端に連結した仕掛けに魚が係った「当たり」を、釣人が敏感に捉えられる。また、リールシートをチタン線材で竿体周面に固定する場合、リールを巻き上げる際に大きな付加がかかるリールシートの耐久性が向上する。
【０００９】
発明３の釣竿は、発明１又は２の釣竿であって、チタン線材はφ０．１〜０．２ｍｍでありコーティング層は０．３〜０．５ｍｍの層厚である。
所定の小径のチタン線材を用いることで、チタン線材の巻回程度が密になり固定力が向上する。また、このような小径のチタン線材を用いることで軽量化も進む。さらに、小径のチタン線材を用いることで、巻回部分の竿体周面からの盛り上がり程度を可及的に抑えることができ、釣糸の竿体周面への糸絡みも防止できる。なお、このような小径のチタン線材を用いる場合に、その周面のコーティング層の厚さを所定の範囲に設定することで、チタン線材に対する外部からの影響を排除できると共に、不当にコーティング層が竿体の屈曲性を損なうこともなく、コーティング層にクラックなども入りにくい。
【００１０】
【発明の実施の形態】
［第１実施形態］
本発明の第１実施形態について、図面を参照しつつ説明する。
本発明の第１実施形態を採用した釣竿は、図１に示すように、元竿１と、元竿１の穂先側に並継形式で連結される中竿２及びその穂先側に並継形式で連結される穂先竿３とを有している。元竿１〜穂先竿３はそれぞれ、炭素繊維等の強化繊維に合成樹脂を含浸したプリプレグ素材からなる先細り筒状の部材である。各竿体の穂先側及びこれに対応する竿元側端部は並継形式に竿体同士を連結するための嵌合部分となっている。
【００１１】
元竿１は、最も竿元側に位置する大径の竿体であって、竿元側の周面にリールを脱着自在に装着可能なリールシート５が装着されている。また、元竿１のリールシート５より穂先側の部分と元上竿２，穂先竿３の周面には、軸方向に間隔を隔てて複数の釣糸ガイド１０が固定されており、最も穂先側の穂先竿３の穂先側端部にはトップガイド１１が固定されている。そして、リールシート５に取り付けられるリールからの釣糸を順次釣糸ガイド１０を介してトップガイド１１に案内する。
【００１２】
リールシート５は、図２に詳しく示すように、リールの脚部を載置する載置面を有する略板状の本体部１５と、本体部１５の穂先側端部に形成され竿元側に開口する固定フード１６と、本体部１５の竿元側に軸方向に滑動自在に配置され穂先側に開口する移動フード１７と、移動フード１７を任意の箇所に固定するストッパ１８とを有している。このリールシート５では、本体部１５の載置面にリールの脚部を載置し、リールの脚部の一端を固定フード１５に係止させた上で移動フード１７を穂先側にスライド移動させて、移動フード１７と固定フード１５とでリールの脚部を挟み込み、ストッパ１８で移動フード１７を固定して、リールを本体部１５上に固定することになる。
【００１３】
また、このリールシート５の本体部１５は、穂先側端部，竿元側端部及び軸方向中間の３カ所で、元竿１，本体部１５を共にチタン線材１９で巻回することで、元竿１上に固定されている。このチタン線材１９は、φ０．１〜０．２ｍｍ程度の細経のチタンからなる線材である。このようなチタン線材１９が複数回コイル状に巻回されている。さらに、このようなチタン線材１９を巻回した上で、その周面にエポキシ系樹脂がコーティングされている。このエポキシ系樹脂は０．３〜０．５ｍｍ程度の厚さでその周面全体にわたって塗布されている。
【００１４】
釣糸ガイド１０は、金属または硬質合成樹脂等から構成される。１つの釣糸ガイド１０を具体的に挙げて説明すれば、図３に示すように、元竿１の周面に固定される部分である前後一対の固定部２１，２２と、固定部２１，２２に連続してなり竿体周面に対して起立しているフレーム２３と、フレーム２３の先端に取り付けられるガイドリング２４とを有している。固定部分２１，２２及びフレーム２３は一体的に形成される金属又は合成樹脂製の部材であり、フレーム２３の一部を元竿１の周面に沿って軸方向に折り曲げて加工した部分が固定部分２１，２２となっている。フレーム２３の起立する先端には、竿体の軸方向に向けて貫通孔が形成されおり、この貫通孔にセラミックス等からなるリング状の硬質のガイドリング２４がはめ込まれ固定されている。
【００１５】
この釣糸ガイド１０の固定部２１，２２も、上述のリールシート５の本体部１５と同様に、固定部２１，２２と元竿１を共にチタン線材２５で巻回することで、元竿１に固定されている。このチタン線材２５についてもその詳細は上述のリールシート５の場合と同様であり、その周面にはエポキシ樹脂がコーティングされている。
【００１６】
なお、図３では、前後の固定部２１，２２を巻回するチタン線材２５は別個独立して巻回されているが、図４に示すように、両者を軸方向に連続させて一体的に巻回してもよい。細経で軽量化できるチタン線材を用いることで、このような連続的な巻回を施しても重量化は最小限度に抑えられる。
このような釣竿では、上述のように、チタン線材１９，２５によって、リールシート５や釣糸ガイド１０がそれぞれ竿体上に固定されており、軽量化及び固定強度に優れる。また、チタン線材で各部材を固定した際の腐食が起こりにくく、さらに質感も向上する。さらに、各釣糸ガイド１０を挿通する釣糸の振動が良好に各竿体に伝達され、釣り操作も円滑になる。
【００１７】
［第２実施形態］
以下、本発明の第２実施形態について、図面を参照しつつ説明する。
本発明の第２実施形態を採用した釣竿は、いわゆる中通し竿であり、図５に示すように、元竿５１と、元竿５１の穂先側に振出形式で連結されている穂先竿５２との２本の竿体を連結してなるものである。各竿体は、上記第１実施形態と同様に、炭素繊維等の強化繊維に合成樹脂を含浸させたプリプレグ素材からなる。そして、穂先竿５２は元竿５１の穂先側からその内部に出し入れ自在に連結されている。
【００１８】
元竿５１の周面には、略パイプ状のリールシート５５がインジェクション成型等により一体的に装着されている。そして、その穂先側にはリールからの釣糸を元竿５１内に導入するための釣糸導入口５６が形成されており、この釣糸導入口５６を軸方向に跨ぐようにして釣糸導入ガイド６０が配置されている。一方、穂先竿５２の穂先側端部にはトップガイド５７が配置されている。リールからの釣糸は釣糸導入口５６から元竿５１内に導入され、元竿５１及び穂先竿５２内を挿通し、穂先側のトップガイド５７から外部に導出されることになる。
【００１９】
釣糸導入ガイド６０は、本体部６１と、本体部６１に装着される第１ガイドリング６２，第２ガイドリング６３とを有している。本体部６１は、軸方向両端において元竿５１の周面に沿うように折り曲げられており、竿元側を急斜面，穂先側を緩斜面として釣糸導入口５６を軸方向に跨ぐような形状である。また、本体部６１には、穂先側の緩斜面の中央付近から元竿５１側に垂れ下がる部分６１ａが設けられている。この本体部６１の急斜面及び垂れ下がる部分６１ａにはそれぞれ貫通孔が設けられており、この貫通孔にそれぞれ第１ガイドリング６２と第２ガイドリング６３とが装着されている。
【００２０】
本体部６１の両端部の元竿５１に当接している部分は、元竿５１と共にチタン線材６５によって巻回されており、このチタン線材６５によって釣糸導入ガイド６０が元竿５１に固定されている。このチタン線材６５は上記第１実施形態と同様のものである。また、その周面にも第１実施形態と同様のコーティングがなされている。
【００２１】
このような中通し竿においても、上記第１実施形態と同様に、釣糸導入ガイド６０の元竿５１に対する固定力の向上や、軽量化・耐腐食性等の向上が図られている。
［他の実施形態］
（ａ）釣糸ガイドや釣糸導入ガイドの形状は上記実施形態に示すものに限定されるものではない。また、リールシートの形状も同様に上記実施形態に示すものに限定されるものではない。
【００２２】
【発明の効果】
本発明に係る釣竿によれば、その竿体の周面に固定する釣糸部材の固定強度が向上し、軽量化・耐腐食性も向上する。また、釣糸ガイドに適用すれば、釣糸からの振動の伝達性に優れることになる。
【図面の簡単な説明】
【図１】本発明の第１実施形態を採用した釣竿の全体図。
【図２】図１のリールシートを示した図。
【図３】図１の釣糸ガイドを示した図。
【図４】本発明の第１実施形態を採用した釣糸ガイドの変形例を示した図。
【図５】本発明の第２実施形態を採用した釣竿の全体図。
【図６】図５の釣糸導入ガイドを示した図。
【符号の説明】
１，５１　元竿
２　中竿
３，５２　穂先竿
５　リールシート
１０　釣糸ガイド
６０　釣糸導入ガイド
【図１】
2004016032.tif 000003
【図２】
2004016032.tif 000004
【図３】
2004016032.tif 000005
【図４】
2004016032.tif 000006
【図５】
2004016032.tif 000007
【図６】
2004016032.tif 000008